(57)【要約】【課題】伝送線路の共振周波数を信号に含まれる周波数から大きくずらすことができるコネクタを提供する。【解決手段】プラグコネクタ１Ａは、絶縁性のハウジング１０Ａと、ハウジング１０Ａに配列され、同軸ケーブル２に接続されると共に、嵌合したリセプタクルコネクタ１Ｂの導電性のコンタクトと接続する導電性の複数のコンタクト１１Ａと、複数のコンタクト１１Ｂと絶縁してハウジング１０Ｂに配置され、嵌合したリセプタクルコネクタ１Ｂのシェル１２Ｂと接続する導電性のシェル１２Ａと、複数のコンタクト１１Ａのうち、同軸ケーブル２の内部導体２１に接続されたコンタクト１１Ａを除いたコンタクト１１Ａを、同軸ケーブル２の外部導体２２とシェル１２Ａとに接触導通させる部材であり、シェル１２Ａとの接触位置を調整可能に構成された導電性のグランドバー１３Ａとを備える。【選択図】図７
2018078040.tif 000002
【特許請求の範囲】
【請求項１】
ケーブルに接続されて、相手コネクタと嵌合されるコネクタであって、
絶縁性のハウジングと、
前記ハウジングに配列され、前記ケーブルに接続されると共に、嵌合した前記相手コネクタの導電性の相手コンタクトと接続する導電性の複数のコンタクトと、
前記複数のコンタクトと絶縁して前記ハウジングに配置され、嵌合した前記相手コネクタの導電性シェルと接続する導電性のシェルと、
前記複数のコンタクトのうち、前記ケーブルの内部導体に接続されたコンタクトを除いたコンタクトを、前記ケーブルの外部導体と前記シェルとに接触させる部材であり、前記シェルとの接触位置を調整可能に構成された導電性の導通部材と、
を備えるコネクタ。
【請求項２】
前記導通部材は、
前記ケーブルの長手方向に関して、複数の異なる位置で前記シェルと接触可能に構成されている、
請求項１に記載のコネクタ。
【請求項３】
前記導通部材は、
前記ケーブルの長手方向に関して、前記コンタクトに接触した前記ケーブルの内部導体の先端よりも前記ケーブルから離れた位置で、前記シェルと接触可能に構成されている、
請求項２に記載のコネクタ。
【請求項４】
前記導通部材は、
前記ケーブルの長手方向に関して、前記ケーブルの内部導体に接触した前記コンタクトよりも前記ケーブルから離れた位置で、前記シェルと接触可能に構成されている、
請求項２に記載のコネクタ。
【請求項５】
前記導通部材は、
前記ケーブルの外部導体と接触するとともに前記シェルと接触する導体側接続部と、
一端が前記導体側接続部と接続され、前記ケーブルの内部導体を避けてその内部導体に沿って他端が延び、前記ケーブルの外部導体と接触するコンタクトに接触する複数の板状部と、
を備える、
請求項１に記載のコネクタ。
【請求項６】
前記導通部材は、
前記板状部の他端同士を連結し、前記シェルとはんだ付け可能なシェル側接続部を備える、
請求項５に記載のコネクタ。
【請求項７】
前記導通部材では、
前記板状部の他端が、弾性力を有するように構成され、その弾性力により前記シェルと押圧接触する、
請求項５に記載のコネクタ。
【発明の詳細な説明】
【技術分野】
【０００１】
本発明は、コネクタに関する。
【背景技術】
【０００２】
特許文献１には、回路基板に実装された第１のコネクタに、信号線が接続された第２のコネクタを嵌合させて信号線を回路基板に接続する電気コネクタが開示されている。この電気コネクタでは、嵌合の際、第１のコネクタに設けられた第１のシェルと、第２のコネクタに設けられた第２のシェルとが互いに面接触して、そのシールド性を高めている。
【先行技術文献】
【特許文献】
【０００３】
【特許文献１】特開２０１０−１５７３６７号公報
【発明の概要】
【発明が解決しようとする課題】
【０００４】
近年、ケーブルを伝送される信号が高速化するにつれて、信号の周波数帯域はますます高くなっている。周波数帯域が高くなると、その信号に含まれるノイズ成分は、コンタクト間のクロストークに起因するものが支配的になる。例えばデジタル信号においては、このノイズ成分は信号に含まれる周波数（矩形波を形成する周波数）と伝送線路の共振周波数とが近く伝送線路が共振する場合に大きくなることが知られている。したがって、クロストークを十分に低減するためには、伝送線路の共振周波数を信号に含まれる周波数から大きくずらす必要がある。上述の電気コネクタのように、シェル同士の接触状態を変更しても、伝送線路の共振周波数の変動は僅かであり、クロストークを十分に低減することができないという不都合がある。
【０００５】
本発明は、上記実情に鑑みてなされたものであり、伝送線路の共振周波数を信号に含まれる周波数から大きくずらすことができるコネクタを提供することを目的とする。
【課題を解決するための手段】
【０００６】
上記目的を達成するために、本発明に係るコネクタは、
ケーブルに接続されて、相手コネクタと嵌合されるコネクタであって、
絶縁性のハウジングと、
前記ハウジングに配列され、前記ケーブルに接続されると共に、嵌合した前記相手コネクタの導電性の相手コンタクトと接続する導電性の複数のコンタクトと、
前記複数のコンタクトと絶縁して前記ハウジングに配置され、嵌合した前記相手コネクタの導電性シェルと接続する導電性のシェルと、
前記複数のコンタクトのうち、前記ケーブルの内部導体に接続されたコンタクトを除いたコンタクトを、前記ケーブルの外部導体と前記シェルとに接触させる部材であり、前記シェルとの接触位置を調整可能に構成された導電性の導通部材と、
を備える。
【０００７】
この場合、前記導通部材は、
前記ケーブルの長手方向に関して、複数の異なる位置で前記シェルと接触可能に構成されている、
こととしてもよい。
【０００８】
また、前記導通部材は、
前記ケーブルの長手方向に関して、前記コンタクトに接触した前記ケーブルの内部導体の先端よりも前記ケーブルから離れた位置で、前記シェルと接触可能に構成されている、
こととしてもよい。
【０００９】
前記導通部材は、
前記ケーブルの長手方向に関して、前記ケーブルの内部導体に接触した前記コンタクトよりも前記ケーブルから離れた位置で、前記シェルと接触可能に構成されている、
こととしてもよい。
【００１０】
前記導通部材は、
前記ケーブルの外部導体と接触するとともに前記シェルと接触する導体側接続部と、
一端が前記導体側接続部と接続され、前記ケーブルの内部導体を避けてその内部導体に沿って他端が延び、前記ケーブルの外部導体と接触するコンタクトに接触する複数の板状部と、
を備える、
こととしてもよい。
【００１１】
前記導通部材は、
前記板状部の他端同士を連結し、前記シェルとはんだ付け可能なシェル側接続部を備える、
こととしてもよい。
【００１２】
前記導通部材では、
前記板状部の他端が、弾性力を有するように構成され、その弾性力により前記シェルと押圧接触する、
こととしてもよい。
【発明の効果】
【００１３】
本発明によれば、ケーブルの外部導体、導通部材、コンタクト、シェルから成る伝送線路において、導通部材とシェルとの接触位置を調整することができるので、伝送線路の共振周波数を信号に含まれる周波数から大きくずらすことができる。
【図面の簡単な説明】
【００１４】
【図１】本発明の実施の形態１に係るコネクタの構成を示す斜視図である。
【図２】図２（Ａ）は、同軸ケーブルに装着されたグランドバーの上面図である。図２（Ｂ）は、グランドバーの他の部材との接触状態を示す側面図である。
【図３】図１のコネクタの三面図（上面、側面、底面）である。
【図４】図４（Ａ）は、グランドバーやシェルがない状態での図３のＡ−Ａ断面図である。図４（Ｂ）は、図３のＡ−Ａ断面図である。図４（Ｃ）は、図３のＢ−Ｂ断面図である。
【図５】図５（Ａ）は、リセプタクルコネクタの三面図（上面、側面、底面）である。図５（Ｂ）は、図５（Ａ）のＣ−Ｃ断面図である。
【図６】プラグコネクタとリセプタクルコネクタとが嵌合した様子を示す斜視図である。
【図７】図７（Ａ）は、プラグコネクタとリセプタクルコネクタとが嵌合されたときの、図３のＡ−Ａ断面図に相当する断面図であり、図７（Ｂ）は、プラグコネクタとリセプタクルコネクタとが嵌合されたときの、図３のＢ−Ｂ断面図に相当する断面図である。
【図８】伝送線路における共振周波数の変動を示すグラフである。
【図９】図９（Ａ）は、本発明の実施の形態２に係るコネクタを構成するグランドバーの構成を示す上面図である。図９（Ｂ）は、グランドバーの他の部材との接触状態を示す側面図である。
【図１０】図１０（Ａ）及び図１０（Ｂ）は、プラグコネクタの断面図である。
【図１１】図１１（Ａ）及び図１１（Ｂ）は、プラグコネクタとリセプタクルコネクタとが嵌合した時の断面図である。
【発明を実施するための形態】
【００１５】
以下、本発明の実施の形態について図面を参照して詳細に説明する。
【００１６】
実施の形態１．
まず、本発明の実施の形態１について、図１〜図８を参照して詳細に説明する。
【００１７】
図１に示すように、このコネクタ１は、プラグコネクタ１Ａとリセプタクルコネクタ１Ｂと、を備える。プラグコネクタ１Ａは、一方向（ｘ軸方向）に配列された複数の同軸ケーブル２の一端に接続される。一方、リセプタクルコネクタ１Ｂは、基板３に実装され、基板３の電極と接続されている。
【００１８】
プラグコネクタ１Ａでは、−ｚ側に突出した凸部１０ａが設けられており、リセプタクルコネクタ１Ｂでは、−ｚ側に窪んだ凹部１０ｂが設けられている。プラグコネクタ１Ａの凸部１０ａが、リセプタクルコネクタ１Ｂの凹部１０ｂに入り込むことにより、両者がずれなく嵌合する。リセプタクルコネクタ１Ｂのｘ軸方向の両端には、嵌合したプラグコネクタ１Ａをロックするつまみ４が設けられている。
【００１９】
また、プラグコネクタ１Ａには、図２（Ａ）及び図２（Ｂ）に示すように、導通部材としてのグランドバー１３Ａが設けられている。グランドバー１３Ａは導電性の部材であり、同軸ケーブル２の外部導体２２に接触している。グランドバー１３Ａは、シェル１２Ａに接触するとともに一部のコンタクト１１Ａに接触している。グランドバー１３Ａは、シェル１２Ａと接触する位置が複数設けられており、その位置を調整可能に構成されている。
【００２０】
プラグコネクタ１Ａ及びリセプタクルコネクタ１Ｂが嵌合すると、プラグコネクタ１Ａの複数のコンタクト１１Ａ（図７（Ｂ）参照）とリセプタクルコネクタ１Ｂ（相手コネクタ）の複数のコンタクト１１Ｂ（相手コンタクト；図７（Ｂ）参照）とが一対一で接続される。さらに、この嵌合により、プラグコネクタ１Ａの導電性のシェル１２Ａ（図７（Ｂ）参照）とリセプタクルコネクタ１Ｂの導電性のシェル１２Ｂ（図７（Ｂ）参照）とが接続される。
【００２１】
嵌合状態では、同軸ケーブル２の内部導体２１→プラグコネクタ１Ａのコンタクト１１Ａ→リセプタクルコネクタ１Ｂのコンタクト１１Ｂ→基板３の信号電極３Ａ（図７（Ａ）参照）という信号伝送線路が形成される。さらには、同軸ケーブル２の外部導体２２→グランドバー１３Ａ→プラグコネクタ１Ａのコンタクト１１Ａ及びシェル１２Ａ→リセプタクルコネクタ１Ｂのコンタクト１１Ｂ及びシェル１２Ｂ→基板３のグランド電極３Ｂ（図７（Ｂ）参照）というグランド伝送線路が形成される。
【００２２】
プラグコネクタ１Ａは、シェル１２Ａとの接触位置を調整可能な部材である導電性のグランドバー１３Ａを備えることにより、グランド伝送線路の共振周波数を変動させ、例えばデジタル信号に含まれる周波数から大きくずらすことができるように構成されている。
【００２３】
なお、本実施の形態では、一対の同軸ケーブル２が一組となって、差動信号が伝送される。この同軸ケーブル２の組を同軸ケーブル２ａ，２ｂとする。図１に示すように、同軸ケーブル２ａ，２ｂは交互に配列され、一組となって一方向（ｘ軸方向）に配列されている。
【００２４】
以下、コネクタ１の構成について、さらに詳細に説明する。まず、プラグコネクタ１Ａの詳細構成について、図３の三面図や、図４（Ａ）、図４（Ｂ）及び図４（Ｃ）の断面図等を参照して説明する。
【００２５】
図２（Ａ）〜図４（Ｃ）で総合的に示すように、プラグコネクタ１Ａは、ハウジング１０Ａと、複数のコンタクト１１Ａと、シェル１２Ａと、グランドバー１３Ａと、を備える。
【００２６】
ハウジング１０Ａは、図３に示すように、全体的に外面がシェル１２Ａに囲まれており、絶縁性の部材（例えば樹脂製）で構成された筐体である。ハウジング１０Ａは、ｘ軸方向を長手方向として、一列に配列された全ての同軸ケーブル２と接続できるような長さとなっている。ハウジング１０Ａには、図３のＡ−Ａ断面である図４（Ｂ）及び図３のＢ−Ｂ断面である図４（Ｃ）に示すように、複数のコンタクト１１Ａ及びグランドバー１３Ａを収容する。なお、＋ｚ側のシェル１２Ａ及びグランドバー１３Ａが取り外された状況では、図３のＡ−Ａ断面図は、図４（Ａ）に示すようになる。
【００２７】
コンタクト１１Ａは、例えば、金属製の導電性の部材である。コンタクト１１Ａは、同軸ケーブル２の配列に合わせて、ハウジング１０Ａ内においてｘ軸方向に沿って一列に配列されている。コンタクト１１Ａは、その一部が同軸ケーブル２の内部導体２１に接続される。また、残りの一部、即ち、同軸ケーブル２の内部導体２１に接続されたコンタクト１１Ａを除いたコンタクト１１Ａは、グランドバー１３Ａに接触する。具体的には、図３に示すように、同軸ケーブル２が配置された位置に対応して設けられたコンタクト１１Ａは、同軸ケーブル２の内部導体２１に接続される。また、同軸ケーブル２が配置されていない位置Ｎに対応して設けられたコンタクト１１Ａは、グランドバー１３Ａに接触する。これらコンタクト１１Ａは、プラグコネクタ１Ａとリセプタクルコネクタ１Ｂとが嵌合すると、リセプタクルコネクタ１Ｂの導電性のコンタクト１１Ｂと一対一で接続する。
【００２８】
シェル１２Ａは、図３に示すように、複数のコンタクト１１Ａと絶縁した状態で、ハウジング１０Ａを覆うように配設されている。シェル１２Ａは、嵌合したリセプタクルコネクタ１Ｂのシェル１２Ｂと接続する導電性の部材である。
【００２９】
グランドバー１３Ａは、導電性の部材である。図４（Ｃ）に示すように、グランドバー１３Ａは、複数のコンタクト１１Ａのうち、同軸ケーブル２の内部導体２１に接続されたコンタクト１１Ａを除いたコンタクト１１Ａを、同軸ケーブル２の外部導体２２とシェル１２Ａとに接触させる。グランドバー１３Ａは、シェル１２Ａと接触する位置を調整可能に構成されている。
【００３０】
グランドバー１３Ａについて、より詳細に説明する。図２（Ａ）及び図２（Ｂ）に示すように、グランドバー１３Ａは、導体側接続部１５と、複数の板状部１６と、シェル側接続部１７と、を備える。
【００３１】
導体側接続部１５は、図２（Ａ）に示すように、ｘ軸方向に延びる板状の部材であり、配列された全ての同軸ケーブル２の外部導体２２の周囲を囲んでこれを把持する構造となっている。導体側接続部１５は、図２（Ｂ）に示すように、同軸ケーブル２の外部導体２２と接続されるとともにシェル１２Ａとも接続される。
【００３２】
複数の板状部１６は、一端（＋ｙ端）が導体側接続部１５と接続されている。各板状部１６は、図２（Ａ）に示すように、同軸ケーブル２の内部導体２１を避けてその内部導体２１に沿って他端が延びている。実際には、図２（Ｂ）に示すように、板状部１６は、−ｚ側に折り曲がり、−ｙ方向に延びた後、さらに＋ｚ側に折り曲がった形状となっている。板状部１６同士の間には、空間Ｓが形成されているので、板状部１６に、同軸ケーブル２の内部導体２１が接触することはない。板状部１６は、−ｚ側に下がった部分で、図４（Ｃ）に示すように、コンタクト１１Ａと接続する。
【００３３】
図２（Ａ）に示すように、シェル側接続部１７は、板状部１６の他端同士を連結する。図２（Ｂ）及び図４（Ｃ）に示すように、シェル側接続部１７は、シェル１２Ａとはんだ付け可能である。
【００３４】
図２（Ｂ）及び図４（Ｃ）に示すように、グランドバー１３Ａは、導体側接続部１５でシェル１２Ａとはんだ付けにより接続可能となっており、シェル側接続部１７でもシェル１２Ａとはんだ付けにより接続可能となっている。すなわち、グランドバー１３Ａは、同軸ケーブル２の長手方向（ｙ軸方向）に関して、複数の異なる位置でシェル１２Ａと接続可能に構成されている。
【００３５】
図４（Ｃ）をさらに詳細に見るとわかるように、グランドバー１３Ａ（シェル側接続部１７）は、同軸ケーブル２の長手方向（ｙ軸方向）に関して、同軸ケーブル２の外部導体２２に対面する位置でシェル１２Ａと接触可能であると共に、コンタクト１１Ａに接続された同軸ケーブル２の内部導体２１の先端よりも同軸ケーブル２から離れた位置で、シェル１２Ａと接触可能に構成されている。このように、シェル１２Ａとの２つの接触位置をできるだけ離すことで、共振周波数の変動量をより大きくすることができる。
【００３６】
続いて、リセプタクルコネクタ１Ｂの構成について説明する。リセプタクルコネクタ１Ｂは、図５（Ａ）の三面図及び図５（Ａ）のＣ−Ｃ断面図である図５（Ｂ）に示すように、ハウジング１０Ｂと、複数のコンタクト１１Ｂと、シェル１２Ｂと、を備える。
【００３７】
ハウジング１０Ｂは、絶縁性の部材（例えば樹脂製）で構成された細長矩形板状の筐体である。ハウジング１０Ｂは、ｘ軸方向を長手方向として、配列された同軸ケーブル２から信号を受信する基板３の電極と接続できるような大きさとなっている。ハウジング１０Ｂには、図５（Ｂ）に示すように、複数のコンタクト１１Ｂが収容される。
【００３８】
コンタクト１１Ｂは、例えば、金属製の導電性の部材である。コンタクト１１Ｂは、コンタクト１１Ａの配列に合わせて、ハウジング１０Ａ内においてｘ軸方向に沿って一列に配列されている。コンタクト１１Ｂは、その一部が基板３の信号電極３Ａに接続される。また、残りの一部、即ち、信号電極３Ａに接続されたコンタクト１１Ｂを除いたコンタクト１１Ｂは、基板３のグランド電極３Ｂに接続される。これらコンタクト１１Ｂは、プラグコネクタ１Ａとリセプタクルコネクタ１Ｂとが嵌合すると、プラグコネクタ１Ａの導電性のコンタクト１１Ａと一対一で接続する。よって、同軸ケーブル２の内部導体２１に接続されたコンタクト１１Ａは、そのコンタクト１１Ａに対応して設けられたコンタクト１１Ｂを介して、図７（Ａ）に示すように、基板３の信号電極３Ａに接続される。また、同軸ケーブル２の内部導体２１に接続されていないコンタクト１１Ａは、そのコンタクト１１Ａに対応して設けられたコンタクト１１Ｂを介して、図７（Ｂ）に示すように、基板３のグランド電極３Ｂに接続される。
【００３９】
シェル１２Ｂは、複数のコンタクト１１Ｂと絶縁した状態で、ハウジング１０Ｂに配置され、嵌合したプラグコネクタ１Ａのシェル１２Ａと接続する導電性の部材である。シェル１２Ｂは、基板３のグランド電極３Ｂと接続され、接地されている。
【００４０】
次に、コネクタ１の動作について説明する。
【００４１】
まず、コネクタ１では、伝送線路における共振周波数の調整が行われる。ここでは、伝送される信号に対するノイズの影響を低減するために、信号に含まれる周波数と、伝送線路の共振周波数とがずれるように調整が行われる。この調整では、グランドバー１３Ａとシェル１２Ａとの間のはんだ付けによって、伝送線路の共振周波数をずらす。
【００４２】
例えば、図８に示すように、伝送される信号に含まれる周波数が１１ＧＨｚを基本周波数とする場合について考える。導体側接続部１５だけでグランドバー１３Ａとシェル１２Ａとがはんだ付けされ、伝送線路及びグランド伝送線路の共振周波数が１１ＧＨｚ近傍（クロストークの強度：−３０ｄＢ）であった場合には、伝送される信号により、伝送線路が共振してクロストークが増大するおそれがある。
【００４３】
このような場合、グランドバー１３Ａにおいて、シェル側接続部１７とシェル１２Ａとのはんだ付けによって両部材が接続される。このようにすれば、図８に示すように、グランド伝送線路における共振周波数を１１ＧＨｚから例えば１２．２ＧＨｚにずらすことができるので、クロストークによる伝送線路の１１ＧＨｚにおける共振が低減され、基本周波数（１１ＧＨｚ）への影響を軽減することができる。
【００４４】
上述のように、グランド伝送線路の共振周波数が信号に含まれる周波数に対してずらされたプラグコネクタ１Ａは、複数の同軸ケーブル２と接続され、図６に示すように、基板３に実装されたリセプタクルコネクタ１Ｂと嵌合される。
【００４５】
プラグコネクタ１Ａとリセプタクルコネクタ１Ｂとが嵌合すると、図７（Ａ）及び図７（Ｂ）に示すように、プラグコネクタ１Ａのコンタクト１１Ａとリセプタクルコネクタ１Ｂのコンタクト１１Ｂとが一対一で接続される。さらに、プラグコネクタ１Ａの導電性のシェル１２Ａとリセプタクルコネクタ１Ｂの導電性のシェル１２Ｂとが接続される。
【００４６】
これにより、図７（Ａ）に示すように、同軸ケーブル２の内部導体２１→プラグコネクタ１Ａのコンタクト１１Ａ→リセプタクルコネクタ１Ｂのコンタクト１１Ｂ→基板３の信号電極３Ａという信号伝送線路が形成される。さらには、図７（Ｂ）に示すように、同軸ケーブル２の外部導体２２→グランドバー１３Ａ→プラグコネクタ１Ａのコンタクト１１Ａ又はシェル１２Ａ→リセプタクルコネクタ１Ｂのコンタクト１１Ｂ又はシェル１２Ｂ→基板３のグランド電極３Ｂというグランド伝送線路が形成される。
【００４７】
全ての同軸ケーブル対（２ａ，２ｂ）について、グランドバー１３Ａにおける導体側接続部１５とシェル１２Ａとがはんだ付けされるとともにグランドバー１３Ａにおけるシェル側接続部１７とシェル１２Ａとがはんだ付けされている。このため、全ての同軸ケーブル対（２ａ，２ｂ）について、グランド伝送線路の共振周波数を信号に含まれる周波数からずらし、クロストークを低減することができる。
【００４８】
もっとも、グランドバー１３Ａにおける導体側接続部１５とシェル１２Ａとがはんだ付けされるとともにグランドバー１３Ａにおけるシェル側接続部１７とシェル１２Ａとのはんだ付けも行うと、かえって伝送線路の共振周波数と信号に含まれる周波数とが一致し、クロストークの強度が大きくなる場合には、導体側接続部１５だけでグランドバー１３Ａとシェル１２Ａとをはんだ付けするようにしてもよい。この場合、シェル側接続部１７とシェル１２Ａとの間に絶縁体が挿入されたり、シェル側接続部１７がシェル１２Ａと接触しないように変形させたりするなどの措置が取られる。
【００４９】
このようにして、このコネクタ１では、グランドバー１３Ａとシェル１２Ａとの接触位置を調整することによって、伝送線路の共振周波数を信号に含まれる周波数からずらして共振を防止し、クロストークを低減する。
【００５０】
同軸ケーブル２（２ａ，２ｂ）からコネクタ１を介して伝送される信号は、クロストークが低減された状態で、基板３に送られる。基板３では、同軸ケーブル２ａの信号レベルと同軸ケーブル２ｂの信号レベルとの差分が行われて、最終的な信号レベルが検出される。伝送される信号ではクロストークが低減されているため、ノイズに影響を受けにくい正確な信号伝達が可能となる。
【００５１】
以上詳細に説明したように、本実施の形態によれば、同軸ケーブル２の外部導体２２、グランドバー１３Ａ、コンタクト１１Ａ、シェル１２Ａから成るグランド伝送線路において、グランドバー１３Ａがシェル１２Ａと接触する位置を調整することができるので、伝送線路の共振周波数を信号に含まれる周波数から大きくずらすことができる。
【００５２】
すなわち、グランドバー１３Ａがシェル１２Ａと接触する位置を調整すれば、グランド伝送線路が共振する波長を変更することができるので、伝送線路の共振周波数を信号に含まれる周波数からずらすことができる。
【００５３】
伝送される信号に含まれる周波数は、今後ますます高くなることが予想される。伝送される信号に含まれる周波数が高くなればなるほど、クロストークの影響は大きくなり、伝送線路の共振周波数をシフトさせることの重要性が増す。
【００５４】
実施の形態２．
次に、本発明の実施の形態２について、図９（Ａ）〜図１１（Ｂ）を参照して説明する。
【００５５】
本実施の形態に係るコネクタ１’（図１１（Ａ）及び図１１（Ｂ）参照）は、プラグコネクタ１Ａに代えて、プラグコネクタ１Ａ’を備える点が、上記実施の形態１と異なっている。プラグコネクタ１Ａ’は、グランドバー１３Ａに代えて、グランドバー１３Ｂを備える。
【００５６】
グランドバー１３Ｂは、図９（Ａ）及び図９（Ｂ）に示すように、導体側接続部１５と、複数の板状部１８と、を備える。
【００５７】
導体側接続部１５は、図９（Ｂ）に示すように、同軸ケーブル２の外部導体２２と接続されるとともにシェル１２Ａと接続される。
【００５８】
図９（Ａ）に示すように、板状部１８は、一端（＋ｙ端）が導体側接続部１５と接続され、同軸ケーブル２の内部導体２１を避けてその内部導体２１に沿って他端が延びている。板状部１８は、同軸ケーブル２の外部導体２２と接続されるコンタクト１１Ａと接触している。さらに、グランドバー１３Ｂでは、図９（Ｂ）に示すように、板状部１８の他端（−ｙ側の端部）は、弾性力を有するように構成されており、板状部１８の他端が、その弾性力によりシェル１２Ａと押圧接触可能である。
【００５９】
図１０（Ａ）及び図１０（Ｂ）に示すように、グランドバー１３Ｂは、同軸ケーブル２の長手方向（ｘ軸方向）に関して、同軸ケーブル２の外部導体２２に対面する位置でシェル１２Ａと接触可能であると共に、同軸ケーブル２の内部導体２１に接続されたコンタクト１１Ａよりも同軸ケーブル２から離れた位置で、シェル１２Ａと接触可能に構成されている。このように、シェル１２Ａとの２つの接触位置をできるだけ離すことで、伝送線路の共振周波数の変動量をより大きくすることができる。
【００６０】
プラグコネクタ１Ａ’とリセプタクルコネクタ１Ｂとが嵌合すると、図１１（Ａ）及び図１１（Ｂ）に示すように、プラグコネクタ１Ａ’のコンタクト１１Ａとリセプタクルコネクタ１Ｂのコンタクト１１Ｂとが一対一で接続される。さらに、プラグコネクタ１Ａ’の導電性のシェル１２Ａとリセプタクルコネクタ１Ｂの導電性のシェル１２Ｂとが接続される。
【００６１】
これにより、図１１（Ａ）に示すように、同軸ケーブル２の内部導体２１→プラグコネクタ１Ａ’のコンタクト１１Ａ→リセプタクルコネクタ１Ｂのコンタクト１１Ｂ→基板３の信号電極３Ａという信号伝送線路が形成される。さらには、図１１（Ｂ）に示すように、同軸ケーブル２の外部導体２２→グランドバー１３Ｂ（図１１（Ｂ）では不図示）→プラグコネクタ１Ａ’のコンタクト１１Ａ又はシェル１２Ａ→リセプタクルコネクタ１Ｂのコンタクト１１Ｂ又はシェル１２Ｂ→基板３のグランド電極３Ｂというグランド伝送線路が形成される。
【００６２】
全ての同軸ケーブル対（２ａ，２ｂ）について、グランドバー１３Ｂにおける導体側接続部１５とシェル１２Ａとがはんだ付けされるとともにグランドバー１３Ｂにおける板状部１８とシェル１２Ａとが押圧接触している。このため、全ての同軸ケーブル対（２ａ，２ｂ）についてグランド伝送線路の共振周波数を信号に含まれる周波数からずらし、クロストークを低減することができる。
【００６３】
このように、本実施の形態では、はんだ付けではなく、弾性力によりグランドバー１３Ｂがシェル１２Ａに押圧接触する。このようにすれば、はんだ付けを行う工程を省略することができるので、製造工程を簡略化するとともに製造時間を短くすることができる。
【００６４】
なお、上記各実施の形態では、グランドバー１３Ａ，１３Ｂとシェル１２Ａとの接触位置の数を２つとしたが、本発明はこれには限られない。接触位置の数は、３つ以上であってもよい。
【００６５】
また、グランドバー１３Ａ，１３Ｂとシェル１２Ａとの接触位置をずらすことができるようになっていてもよい。
【００６６】
また、上記実施の形態では、一対の同軸ケーブル２（２ａ，２ｂ）で差動信号を伝送するコネクタ１，１’について説明したが、本発明はこれには限られない。一方の同軸ケーブル２で伝送される信号を伝送するコネクタに本発明を適用することは当然可能である。
【００６７】
また、上記実施の形態では、同軸ケーブル２から基板３の電極へ信号が伝送される場合について説明したが、本発明はこれには限られない。本発明は、基板３の電極から同軸ケーブル２へ信号が伝送される場合にも適用可能である。
【００６８】
この発明は、この発明の広義の精神と範囲を逸脱することなく、様々な実施の形態及び変形が可能とされるものである。また、上述した実施の形態は、この発明を説明するためのものであり、この発明の範囲を限定するものではない。すなわち、この発明の範囲は、実施の形態ではなく、特許請求の範囲によって示される。そして、特許請求の範囲内及びそれと同等の発明の意義の範囲内で施される様々な変形が、この発明の範囲内とみなされる。
【産業上の利用可能性】
【００６９】
本発明に係るコネクタは、同軸ケーブルと基板上の回路とを接続し、高周波の信号を伝送するのに用いることができる。
【符号の説明】
【００７０】
１，１’  コネクタ、１Ａ，１Ａ’  プラグコネクタ、１Ｂ  リセプタクルコネクタ、２，２ａ，２ｂ  同軸ケーブル、３  基板、３Ａ  信号電極、３Ｂ  グランド電極、４  つまみ、１０Ａ，１０Ｂ  ハウジング、１０ａ  凸部、１０ｂ  凹部、１１Ａ，１１Ｂ  コンタクト、１２Ａ，１２Ｂ  シェル、１３Ａ，１３Ｂ  グランドバー、１５  導体側接続部、１６  板状部、１７  シェル側接続部、１８  板状部、２１  内部導体、２２  外部導体
【図１】
2018078040.tif 000003
【図２】
2018078040.tif 000004
【図３】
2018078040.tif 000005
【図４】
2018078040.tif 000006
【図５】
2018078040.tif 000007
【図６】
2018078040.tif 000008
【図７】
2018078040.tif 000009
【図８】
2018078040.tif 000010
【図９】
2018078040.tif 000011
【図１０】
2018078040.tif 000012
【図１１】
2018078040.tif 000013